(57)【特許請求の範囲】
【請求項１】
スラント形２サドル旋盤の全体カバー装置において、前記全体カバー装置の切粉受け皿の前板に隣接する主軸軸線方向の案内に沿って移動可能に設けられ前記全体カバー装置の主軸軸線方向に移動可能な開閉ドアが開いて開口部が開放された時に下刃物台や下サドルの前記切粉受け皿の上方より前に位置する部分から落ちる切粉や切削液を前記切粉受け皿に回収する傾斜角を有する水受けカバーと、該水受けカバーを通常前記開閉ドアが開くと連結状態で前記開口部に移動し段取り替えや保守のとき作業に支障のない位置に単独移動可能なように前記開閉ドアとの連結を解除することができる連結部材とからなることを特徴とする水受け装置。
【請求項２】
スラント形２サドル旋盤の全体カバー装置において、前記全体カバー装置の切粉受け皿の前板に隣接する主軸軸線方向の案内に沿って移動可能に設けられ前記全体カバー装置の主軸軸線方向に移動可能な開閉ドアが開いて開口部が開放された時に下刃物台や下サドルの前記切粉受け皿の上方より前に位置する部分から落ちる切粉や切削液を前記切粉受け皿に回収する傾斜角を有する水受けカバーと、前記全体カバー装置の固定カバーに前記水受けカバーを通常開口部の下を覆うように固定し段取り替えや保守のとき作業に支障のない位置に移動可能なように固定を解除する固定部材とからなることを特徴とする水受け装置。
【発明の詳細な説明】
【０００１】
【発明の属する技術分野】
本発明は旋盤特に後側が高く前側が低いスラントベッドで主軸中心線の前と後に刃物台を有するスラント形２サドル旋盤の、全体カバー装置の開閉ドアを開いて開口部を開放した時に露出する下刃物台や下サドルの下端部から落ちる切粉や切削液を切粉受け皿へ回収する水受け装置に関するものである。
【０００２】
【従来の技術】
従来、スラント形２サドル旋盤の全体カバー装置は、図４に示すように主軸チャック１０１への作業者の寄り付をよくするため、開閉ドア１０２の下部を主軸軸心を通るＺ軸の真下に近づけるように形成して作業者の足場を確保するような形状となっている。
従って、開閉ドアは下刃物台１０３や下サドル１０４の下端部を避けるため前面が大鼓状に張り出した形状となっていて、開放ドア１０２を開いて開口部を開口すると下刃物台１０３や下サドル１０４の下端部が床面上に露出するようになっている。
【０００３】
【発明が解決しようとする課題】
従来の技術で述べたスラント形２サドル旋盤の全体カバーのように、開閉ドア１０２を開くと床面上に露出する下刃物台１０３や下サドル１０４から落ちる切粉や切削液が床面を汚し、すべり易くなって作業者が転倒し易くなるなど作業環境を悪くするという問題を有している。
【０００４】
本発明は従来の技術の有するこのような問題点に鑑みなされたものであり、その目的とするところを前記した請求項で説明すると、具体的には請求項１記載の発明は、通常開閉ドアが開いて開口部が開放されると、開閉ドアと連結状態の水受けカバーを入れ違いに開口部に位置決めして、下刃物台や下サドル等から落下する切粉や切削液を切粉受け皿に回収して床面を汚さないようにし、保守や段取り替えのために開閉ドアを開放する時には水受けカバーの連結を解除して作業に支障のない位置に退避できるようにするものである。
【０００５】
また、請求項２の発明は通常開閉ドアが開いて開口部が開放されると、開口部に固定されている水受けカバーにより、落下する切粉や切削液を切粉受け皿に回収して床面を汚さないようにし、保守や段取り替えのために開閉ドアを開放する時には水受けカバーの固定を解除して作業に支障のない位置に退避できるようにするものである。
【０００６】
【課題を解決するための手段】
本発明の請求項１の水受けカバーは、スラント形２サドル旋盤の全体カバー装置において、前記全体カバー装置の切粉受け皿の前板に隣接する主軸軸線方向の案内に沿って移動可能に設けられ前記全体カバー装置の主軸軸線方向に移動可能な開閉ドアが開いて開口部が開放された時に下刃物台や下サドルの前記切粉受け皿の上方より前に位置する部分から落ちる切粉や切削液を前記切粉受け皿に回収する傾斜角を有する水受けカバーと、該水受けカバーを通常前記開閉ドアが開くと連結状態で前記開口部に移動し段取り替えや保守のとき作業に支障のない位置に単独移動可能なように前記開閉ドアとの連結を解除することができる連結部材とからなるものである。
【０００７】
上述のように構成されている請求項１の水受けカバーによれば、通常水受けカバーは開閉ドアーに係脱自在な連結部材により連結されていて、開閉ドアが開いて開口部が開放されると水受けカバーが開口部に位置決めされ、落下する切粉や切削液を切粉受け皿に回収し、開閉ドアーが閉じて開口部が閉止されると水受けカバーが開口部から離れて退避するので、開口部の下の床が汚れることがなくなって作業環境がよくなるとともに加工状態監視のための作業者の寄り付を水受けカバーが阻害することがない。また、段取り替えや保守のときには水受けカバーが退避するようにしたので、作業の支障になることがない。
【０００８】
また、請求項２の水受けカバーはスラント形２サドル旋盤の全体カバー装置において、前記全体カバー装置の切粉受け皿の前板に隣接する主軸軸線方向の案内に沿って移動可能に設けられ前記全体カバー装置の主軸軸線方向に移動可能な開閉ドアが開いて開口部が開放された時に下刃物台や下サドルの前記切粉受け皿の上方より前に位置する部分から落ちる切粉や切削液を前記切粉受け皿に回収する傾斜角を有する水受けカバーと、前記全体カバー装置の固定カバーに前記水受けカバーを通常開口部の下を覆うように固定し段取り替えや保守のとき作業に支障のない位置に移動可能なように固定を解除する固定部材とからなるものである。
【０００９】
上述のように構成されている請求項２の水受けカバーによれば、通常水受けカバーを開口部に固定し、保守や段取り替え時に固定を解除して退避するようにしたので、請求項１と同様床が汚れることがなく、段取り替えや保守などの作業に支障がなくなるとともに、開閉ドアの開け閉めが楽で作業者の疲労が少ないので、手動開閉に有効である。
【００１０】
【発明の実施の形態】
以下本発明の実施の形態を図面にもとづいて説明する。
図１はスラント形２サドル旋盤の水受け装置を有する全体カバー装置の図で、（ａ）は上視図、（ｂ）は（ａ）のＡ−Ａ矢線方向から見たたて断面図、図２（ａ）乃至（ｃ）は作用説明図、（ｄ）は連結部材の断面を示す（ａ）の仮想円Ａ部の拡大図である。
【００１１】
スラント形２サドル旋盤の図示しないベッドは前下がりに傾斜する上下二組のＺ軸案内を有していて、このＺ軸案内に沿って上サドル１Ａと下サドル１Ｂとが、それぞれ移動位置決め可能に設けられている。上サドル１Ａ上にはＸ軸方向の案内が設けられていて、このＸ軸案内上に上刃物台２Ａが移動位置決め可能に載置されており、下サドル１Ｂ上にはＸ軸方向の案内が設けられていて、このＸ軸案内上に下刃物台２Ｂが移動位置決め可能に載置されている。
【００１２】
上刃物台２Ａと下刃物台２ＢとにはそれぞれＺ軸方向の図示しない回転中心軸のまわりで旋回割出し可能に上タレット３Ａと下タレット３Ｂとが設けられていて、上タレット３Ａ，下タレット３Ｂにそれぞれ図示しない複数の切削工具が着脱可能に装着されている。
更に、図示しないベッドの左側に主軸台４が設置されていて、主軸台４に図示しない主軸が回転可能に軸承され、主軸の先端に主軸チャック５が同心に嵌着されている。
【００１３】
上述のように構成されているスラント形２サドル旋盤は、ほぼ全周が全体カバー装置６により覆われていて、全体カバー装置６の固定カバー７は主軸台４に隣接する部分が前と上とに開口する開口部７ａに形成されている。開口部７ａはＺ軸方向に移動可能な開閉ドア８により開放，閉止されるようになっていて、開閉ドア８は図１（ａ）で仮想線で示す主軸台４側の開放位置と開口部７ａを塞ぐ閉止位置とに位置決め可能とされている。
【００１４】
開閉ドア８は図１（ｂ）に示すように前面が下サドル１Ｂの下端部１ａと刃物台２Ｂの下端部２ａとが干渉することなく移動可能で作業者の寄り付易いように大鼓形状となっていて、切削中に発生する切粉や切削液を切粉受け皿９に回収可能なように下端部が切粉受け皿９の前板９ａの内側上方に位置している。
【００１５】
従って、開閉ドア８を開放位置に位置決めして開口部７ａを開放すると作業者が主軸チャック５に接近可能であるが、下サドル１Ｂ，下刃物台２Ｂを開口部７ａから外れる位置までＺ軸方向反主軸側に移動させない限り、下端部１ａ，２ａが切粉受け皿９の前板９ａより前方上に位置するので、切削加工中に堆積した切粉や切削液が床上に落ちることになる。
【００１６】
そこで、切粉受け皿９の前板９ａに隣接してＺ軸方向の案内レール１１をほぼ旋盤全長にわたって設け、案内レール１１に沿って移動可能に水受けカバー１２が設けられている。
水受けカバー１２は開閉ドア８とほぼ同じＺ軸方向の長さを有し、切粉受け皿９に向けて切粉や切削液が流れ易いように後下がりの傾斜角を有していて、図２（ｄ）に示すような連結部材１４のばね１５により突出勝手に付勢される連結ピン１３により開閉ドア８と係脱自在に連結されている。
【００１７】
水受けカバー１２は通常（稼働時）連結部材１４により開閉ドア８に連結されていて、開閉ドア８が開口部７ａを閉止している時に固定カバー７の前に位置決めされ〔図２（ａ）〕、開閉ドア８が開いて開口部７ａが開放されている時には開口部７ａに位置決めされる〔図２（ｂ）〕、また加工が終わったあとの段取り替えや保守などで作業者が開口部７ａから機内へ出・入する必要のあるときには連結部材１４の係合を解除して、水受けカバー１２の単独移動を可能とし、主軸台４の前位置に退避させる〔（図２（ｃ）〕。尚、水受けカバー１２は固定カバー７の前に退避させてもよい。
【００１８】
図３は上述と異なる実施例の水受けカバー１２の動作説明図で、本実施例の説明は上述の実施例と同一個所に同一符号を付して説明を省略し異なるところのみする。
図３（ａ）（ｂ）に示すように、水受けカバー１２は通常（稼働中）上記連結部材１４とほぼ同一構造の固定部材１７の固定ピン１６により固定カバー７にかけ外し自在に固定されている。
【００１９】
この状態で開閉ドア８で開口部７ａを閉止して切削加工を行い〔図３（ａ）〕、開閉ドア８を開いて開口部７ａを開放してワークの着脱を行う〔図３（ｂ）〕。加工が終わったあとの段取り替えや保守などで作業者が開口部７ａから機内に出・入する必要のあるときには、固定カバー７との固定を解除して水受けカバー１２のＺ軸移動を可能とし、図３（ｃ）に示すように水受けカバー１２を固定カバー７の前に退避させる。尚、水受けカバー１２を主軸台４の前に退避させてもよい。
【００２０】
【発明の効果】
本発明は上述のとおり構成されているので次に記載する効果を奏する。
請求項１の水受け装置は１個の切削加工が終わって開閉ドアが開くと連結状態の水受けカバーが入れ違いに開口部に位置決めされ、切削中に下刃物台や下サドルに堆積した切粉や切削液の落下を受けて切粉受け皿へ回収するようにしたので足元の床面が汚れて作業環境を悪くすることがなくなる。また保守や段取り替え等で開口部から機内に出・入する必要がある場合に、開閉ドアとの連結を解除して水受けカバーを作業に支障のない位置に退避させるようにしたので、作業の邪魔になることもない。
【００２１】
請求項２の水受け装置は、通常すなわちワークの着脱を含む切削加工中水受けカバーを固定カバーに固定して開口部に位置決めして、ワーク着脱のため開閉カバーが開いたとき、下刃物台や下サドルの下端部より落下する切削中に堆積した切粉や切削液を切粉受け皿に回収し、加工が終わったあとの段取り替えや保守等で開口部より機内に出・入する必要がある場合に、固定カバーへの固定を解除して水受けカバーを作業に支障のない位置に移動するようにしたので、請求項１と同様の効果を有するとともに、開閉ドアの開け，閉めが楽で作業者の疲労を軽減することができる。
【図面の簡単な説明】
【図１】スラント形２サドル旋盤の本発明の水受け装置を有する全体カバー装置の図で、（ａ）は上視図、（ｂ）は（ａ）のＡ−Ａ矢線視断面図である。
【図２】（ａ）乃至（ｃ）は各作業中における水受けカバーの位置を示す説明図で、（ｄ）は（ａ）の仮想円で囲む部分Ａの連結部材の拡大図である。
【図３】異なる実施例の各作業中における水受けカバーの位置を示す説明図で、（ａ）は切削加工時の水受けカバーの位置を示し、（ｂ）はワーク着脱時の水受けカバーの位置を示し、（ｃ）は保守，段取り時の水受けカバーの位置を示す図である。
【図４】従来の技術の全体カバー装置の図で、（ａ）は上視図、（ｂ），（ｃ）は（ａ）のＢ−Ｂ矢線視断面図で、（ｂ）は開閉ドア閉止時を示し、（ｃ）は開閉ドア開放時を示す図である。
【符号の説明】
１Ａ  上サドル            １Ｂ  下サドル
２Ａ  上刃物台            ２Ｂ  下刃物台
３Ａ  上タレット          ３Ｂ  下タレット
４  主軸台                ５主軸チャック
６  全体カバー            ７  固定カバー
７ａ  開口部              ８  開閉ドア
９  切粉受け皿            ９ａ  前板
１１  案内レール          １２  水受けカバー
１３  連結ピン            １４  連結部材
１５  ばね                １６  固定ピン
１７  固定部材
【図１】
0003654467.tif 000002
【図２】
0003654467.tif 000003
【図３】
0003654467.tif 000004
【図４】
0003654467.tif 000005